(57)【要約】【課題】ユーザーが認知していない放送番組が放送されていることをユーザーに対して認知させることができる携帯端末装置を提供する。【解決手段】所定のチャンネルにおいて放送される放送番組を受信する受信装置（１０１）と、この受信手段によって受信される放送番組を視聴可能に出力する出力装置（１０２）と、外部から提供され、特定の地域において視聴可能な放送番組のチャンネルに関する特殊チャンネル情報を取得する特殊チャンネル情報取得部（１１０）と、この特殊チャンネル情報取得手段によって取得した前記特殊チャンネル情報から特定される前記放送番組が前記出力手段により視聴可能であることを通知する特殊チャンネル情報通知部（１２０）とを携帯端末装置（２０）に設けた。【選択図】図３
2010178023.tif 000002
【特許請求の範囲】
【請求項１】
所定のチャンネルにおいて放送される放送番組を受信する受信手段と、
この受信手段によって受信される放送番組を視聴可能に出力する出力手段と、
外部から提供され、特定の地域において視聴可能な放送番組のチャンネルに関する特殊チャンネル情報を取得する特殊チャンネル情報取得手段と、
この特殊チャンネル情報取得手段によって取得した前記特殊チャンネル情報から特定される前記放送番組が前記出力手段により視聴可能であることを通知する特殊チャンネル情報通知手段と
を備えることを特徴とする携帯端末装置。
【請求項２】
請求項１に記載の携帯端末装置において、
前記特殊チャンネル情報通知手段は、前記特殊チャンネル情報により特定される前記放送番組を視聴するか否かを選択可能に通知することを特徴とする携帯端末装置。
【請求項３】
請求項２に記載の携帯端末装置において、
前記特殊チャンネル情報通知手段は、前記特殊チャンネル情報により特定される全ての前記放送番組を選択可能に通知することを特徴とする携帯端末装置。
【請求項４】
請求項１乃至３のいずれかに記載の携帯端末装置において、
前記特殊チャンネル情報に基づき前記放送番組を前記受信手段に受信させて前記出力手段によって出力可能とする特殊チャンネル視聴制御手段を備えることを特徴とする携帯端末装置。
【請求項５】
請求項４に記載の携帯端末装置において、
前記特殊チャンネル視聴制御手段は、
前記特殊チャンネル情報通知手段により選択可能に通知されたいずれかの前記放送番組を選択させる特殊チャンネル選択手段と、
前記受信手段のチャンネルの設定を前記特殊チャンネル選択手段により選択された前記放送番組のチャンネルに設定する特殊チャンネル受信設定手段と、
この特殊チャンネル受信設定手段により設定されたチャンネルにおいて放送される前記放送番組を前記受信手段によって受信して前記出力手段に出力することを特徴とする特殊チャンネル視聴開始手段と
を備えることを特徴とする携帯端末装置。
【請求項６】
請求項１乃至５のいずれかに記載の携帯端末装置において、
前記特殊チャンネル情報取得手段は、前記特殊チャンネル情報を所定の条件に基づいて自動的に取得することを特徴とする携帯端末装置。
【請求項７】
請求項１乃至６のいずれかに記載の携帯端末装置において、
前記特殊チャンネル情報は、放送番組の放送波周波数情報と、その放送番組の内容を表す番組内容情報とを含むことを特徴とする携帯端末装置。
【請求項８】
請求項７に記載の携帯端末装置において、
前記特殊チャンネル情報通知手段は、前記特殊チャンネル情報取得手段により取得された前記特殊チャンネル情報により特定される全ての放送番組をその放送番組の内容を示す番組内容情報とともに前記出力手段に一覧表示することを特徴とする携帯端末装置。
【請求項９】
請求項８に記載の携帯端末装置において、
一覧表示させた前記放送番組の中からいずれかの放送番組を選択する特殊チャンネル選択手段をさらに備えることを特徴とする携帯端末装置。
【請求項１０】
所定のチャンネルにおいて放送される放送番組を受信する受信手段とこの受信手段によって受信される放送番組を視聴可能に出力する出力手段とを備えた携帯端末装置における放送番組の視聴制御方法であって、
外部から提供され、特定の地域において視聴可能な放送番組のチャンネルに関特殊チャンネル情報を取得する特殊チャンネル情報取得手順と、
取得した前記特殊チャンネル情報から特定される前記放送番組が前記出力手段により視聴可能であることを通知する特殊チャンネル情報通知手順と、
前記特殊チャンネル情報に基づき前記放送番組を前記受信手段に受信させて前記出力手段に出力可能とする特殊チャンネル視聴制御手順と
を有することを特徴とする携帯端末装置における放送番組の視聴制御方法。
【請求項１１】
請求項１０に記載の携帯端末装置における放送番組の視聴制御方法において、
前記特殊チャンネル情報通知手順は、前記特殊チャンネル情報により特定される前記放送番組を視聴するか否かを選択可能に通知すること特徴とする携帯端末装置における放送番組の視聴制御方法。
【請求項１２】
請求項１０に記載の携帯端末装置における放送番組の視聴制御方法において、
前記特殊チャンネル視聴制御手順は、
前記特殊チャンネル情報通知手順により選択可能に通知されたいずれかの前記放送番組を選択させる特殊チャンネル視聴選択手順と、
前記受信手段のチャンネルの設定を前記特殊チャンネル視聴選択手順において選択された前記放送番組のチャンネルに設定することを特徴とする特殊チャンネル受信設定手順と、
この特殊チャンネル受信設定手順により設定されたチャンネルにおいて放送される前記放送番組を前記受信手段によってが受信して前記出力手段に出力させることを特徴とする特殊チャンネル視聴開始手順と
を有することを特徴とする携帯端末装置における放送番組の視聴制御方法。
【請求項１３】
所定のチャンネルにおいて放送される放送番組を受信する受信手段と、この受信手段によって受信される放送番組を視聴可能に出力する出力手段とを備えた携帯端末装置に搭載されたコンピュータに、
外部から提供され、特定の地域において視聴可能な放送番組のチャンネルに関特殊チャンネル情報を取得する特殊チャンネル情報取得ステップと、
取得した前記特殊チャンネル情報から特定される前記放送番組が前記出力手段により視聴可能であることを通知する特殊チャンネル情報通知ステップと、
前記特殊チャンネル情報に基づき前記放送番組を前記受信手段に受信させて前記出力手段に出力可能とする特殊チャンネル視聴制御ステップと
を実行させることを特徴とする携帯端末装置における放送番組の視聴制御プログラム。
【請求項１４】
請求項１２に記載の携帯端末装置における放送番組の視聴制御プログラムにおいて、
前記特殊チャンネル情報通知ステップは、前記特殊チャンネル情報により特定される前記放送番組を視聴するか否かを選択可能に通知することを特徴とする携帯端末装置における放送番組の視聴制御プログラム。
【請求項１５】
請求項１３に記載の携帯端末装置における放送番組の視聴制御プログラムにおいて、前記特殊チャンネル視聴制御ステップは、
前記特殊チャンネル情報通知手順により選択可能に通知されたいずれかの前記放送番組を選択させる特殊チャンネル視聴選択ステップと、
前記受信手段のチャンネルの設定を前記特殊チャンネル視聴選択手順において選択された前記放送番組のチャンネルに設定することを特徴とする特殊チャンネル受信設定ステップと、
この特殊チャンネル受信設定手順により設定されたチャンネルにおいて放送される前記放送番組を前記受信手段によってが受信して前記出力手段に出力させることを特徴とする特殊チャンネル視聴開始ステップと
を有することを特徴とする携帯端末装置における放送番組の視聴制御プログラム。
【請求項１６】
請求項１乃至９のいずれかに記載の携帯端末装置と、
特定の地域において視聴可能な放送番組のチャンネルに関する特殊チャンネル情報を発信する特殊チャンネル情報発信装置とからなり、
前記特殊チャンネル情報取得手段は、前記特殊チャンネル情報発信装置から発信される特殊チャンネル情報を取得することを特徴とする視聴制御システム。
【発明の詳細な説明】
【技術分野】
【０００１】
本発明は、携帯端末装置、携帯端末装置における放送番組の視聴制御方法および視聴制御プログラム、ならびに視聴制御システムに関するものであり、特に放送番組を視聴できる携帯端末装置、放送番組の視聴方法および視聴制御プログラム、チャンネル情報送受信システムに関する。
【背景技術】
【０００２】
近年、地上デジタルテレビ放送が開始され、地上デジタルテレビ放送で採用されている信号様式の特徴から、地上デジタルテレビ放送の携帯端末装置向け放送サービス（通称「ワンセグ」）が運用されており、携帯端末装置においても地上デジタルテレビ放送による放送番組を受信することが可能となっている。また、携帯端末装置の特性上、外出先や移動中においても地上デジタルテレビ放送のテレビ番組を視聴できる利便性から、地上デジタルテレビ放送の視聴機能を備えたテレビ機能付き携帯端末装置の普及が進んでいる。
【０００３】
従来のテレビ機能付き携帯端末装置では、外出先や移動先でテレビ放送を受信しテレビ番組を視聴する場合、視聴する場所に依存して視聴できるテレビ放送局のチャンネルが異なるため、所望のテレビ番組を受信するためには受信可能なテレビ放送局のチャンネルをテレビ機能を立ち上げて探さなければならないという問題があった。
【０００４】
これに対して、テレビ機能付き携帯端末装置の従来技術としては、視聴していた放送番組の番組情報を管理して関連サイトへいつでもどこでもアクセスできる方法（特許文献１）、携帯電話の基地局ＩＤから視聴エリアを特定して受信可能な放送局の情報を記憶し、他の携帯電話端末に対してこの情報を通知できるテレビ機能付きの携帯電話端末（特許文献２）、テレビ視聴機能を有する携帯電話端末が記憶している自装置におけるテレビの視聴条件を他のテレビ装置に対しても反映させて、他のテレビ装置の視聴条件の設定を不要にする方法（特許文献３）が開示されている。
【先行技術文献】
【特許文献】
【０００５】
【特許文献１】特願２００４−１２８８２６号公報
【特許文献２】特願２００５−１５１０９３号公報
【特許文献３】特願２００６−０１４１２２号公報
【発明の概要】
【発明が解決しようとする課題】
【０００６】
しかしながら、これらの技術は、そのときに受信して視聴しているもしくは過去に受信して視聴した放送番組、広く知られた放送局による放送番組のチャンネルに関する情報などの放送番組の受信チャンネルを特定するチャンネル情報を管理して、このチャンネル情報を利用して放送番組の視聴におけるチャンネル設定の簡略化や柔軟な視聴操作を実現する技術である。したがって、チャンネル情報が不明もしくは未取得の放送番組については、ユーザーがこのような放送番組が放送されていることに気付かないという問題がある。さらに、このような放送番組の存在をユーザーが認知したとしても、携帯端末装置において視聴するためには、所望の放送番組のチャンネルをユーザーが探して設定しなければなければならないという問題がある。
【０００７】
例えば、外出先や移動先において、特定の地域でのみ受信可能な放送番組や新しく放送が開始された放送チャンネルにおける放送番組といった初めて受信する放送番組が放送されている場合、このような放送番組をユーザーが認知するためには、これらの放送番組の存在を知らせる媒体によってユーザーが認知する必要があり、このような媒体に接する機会がなければ、放送番組の存在に気付かないという問題がある。幸運にもユーザーがこのような放送番組の存在を認知した場合においても、携帯端末装置によってこれらの番組を視聴するためには、ユーザーが携帯端末装置の受信装置によって所望の放送番組のチャンネルを探さなければならない。
また、商店街やショッピングモールなどの受信エリアが限定されている小規模な放送による店舗情報やフロア情報などのローカル放送番組を携帯端末装置で視聴する場合、ユーザーがこのような放送番組の存在を認知する必要があり、認知したとしても予め携帯端末装置の放送番組の視聴装置に割り当てられているチャンネル設定では、これらの放送番組を受信することはできず、所望の放送番組のチャンネルを手動で探して設定するといった煩雑な操作が必要となる。
【０００８】
本発明は、上記のような問題を解決すべく、特定の地域でのみ受信可能な放送番組や、新しく放送が開始された放送チャンネルにおける放送番組といったユーザーが認知していない放送番組が放送されていることをユーザーに対して認知させることができる携帯端末装置を提供することを目的とする。また、本発明は、携帯端末装置において予め視聴可能にチャンネル設定がなされていない放送番組を簡便な操作で視聴することができるようにすることを目的とする。
【課題を解決するための手段】
【０００９】
上述の目的を達成するために、本発明は、所定のチャンネルにおいて放送される放送番組を受信する受信手段と、この受信手段によって受信される放送番組を視聴可能に出力する出力手段と、外部から提供され、特定の地域において視聴可能な放送番組のチャンネルに関する特殊チャンネル情報を取得する特殊チャンネル情報取得手段と、この特殊チャンネル情報取得手段によって取得した前記特殊チャンネル情報から特定される前記放送番組が前記出力手段により視聴可能であることを通知する特殊チャンネル情報通知手段とを携帯端末装置に設けたことをを特徴とする。
また、前記特殊チャンネル情報に基づき前記放送番組を前記受信手段に受信させて前記出力手段によって出力可能とする特殊チャンネル視聴制御手段を携帯端末装置に設けたことを特徴とする。
【発明の効果】
【００１０】
本発明によれば、外部から提供される特殊チャンネル情報を取得して、この特殊チャンネル情報により特定される放送番組が携帯端末装置において視聴可能である旨をユーザーに対して通知することにより、ユーザーが認知していない放送番組が放送されていることを認識させることができる。また、特殊チャンネル情報に基づいて放送番組を自装置の出力手段に出力させることができるので、携帯端末装置のユーザーは、認知していなかった放送番組を視聴するために携帯端末装置の受信装置によって所望のチャンネルを探すことなく、容易に視聴することができる。
【図面の簡単な説明】
【００１１】
【図１】第１の実施の形態にかかる携帯端末装置のブロック図である。
【図２】第１の実施の形態にかかる携帯端末装置の動作フローチャートである。
【図３】第２の実施の形態にかかる携帯端末装置のブロック図である。
【図４】第２の実施の形態にかかる携帯端末装置の動作フローチャートである。
【図５】第３の実施の形態にかかる携帯端末装置のブロック図である。
【図６】第３の実施の形態にかかる携帯端末装置の動作フローチャートである。
【図７】第３の実施の形態における通知画面の例を示す図である。
【図８】第３の実施の形態における選択画面の例を示す図である。
【図９】第４の実施の形態にかかる放送番組視聴制御システムのブロック図である。
【図１０】第４の実施の形態における特殊チャンネル情報発信装置の動作フローチャートである。
【図１１】第４の実施の形態における携帯端末装置の動作フローチャートである。
【図１２】第５の実施の形態にかかる携帯端末装置のブロック図である。
【図１３】第５の実施の形態における特殊チャンネル情報の例を示す図である。
【図１４】第５の実施の形態における通知画面の例を示す図である。
【発明を実施するための形態】
【００１２】
以下、図面を参照し、本発明の実施の形態について説明する。
【００１３】
［第１の実施の形態］
図１は、本発明における第１の実施の形態にかかる携帯端末装置の構成を示すブロック図である。
本実施の形態にかかる携帯端末装置は、特定の地域において視聴可能な放送番組のチャンネルに関する情報のうち、外部から提供される特殊チャンネル情報を取得して、この特殊チャンネル情報における放送番組が自装置で視聴可能であることをユーザーに対して通知する携帯端末装置である。図１に示すように、携帯端末装置１０は、放送番組を受信する受信装置１０１と、放送番組を視聴できる出力装置１０２と、外部から提供される特殊チャンネル情報を取得する特殊チャンネル情報取得部１１０と、取得した特殊チャンネル情報から特定される放送番組が出力装置１０２において視聴可能であることをユーザーに対して通知する特殊チャンネル情報通知部１２０とから構成されている。ここで、特殊チャンネル情報は、外部から提供され、特定の地域において視聴可能な放送番組のチャンネルに関する情報である。
なお、これらの構成要素は、ＣＰＵ（中央演算装置）やメモリ、インターフェースを備えたコンピュータに、コンピュータプログラムをインストールすることにより、上記の上記携帯端末装置１０に搭載されたコンピュータ（図示せず）のハードウェア資源とソフトウェアとが協働して実現されるものである。
【００１４】
次に、特殊チャンネル情報取得部１１０と特殊チャンネル情報通知部１２０の動作を説明しながら、本実施の形態における携帯端末装置１０の動作について図２のフローチャートを参照して説明する。
【００１５】
特殊チャンネル情報取得部１１０は、図示しない携帯端末装置のインターフェース部によるデータ通信手段によって外部から取得した特殊チャンネル情報を、図示しない記憶装置に記憶する（Ｓ１０１）。ここで、図示しない携帯端末装置のインターフェース部は、ＵＳＢや有線ＬＡＮなどの有線通信インターフェースもしくは赤外線通信や無線ＬＡＮなどの無線通信インターフェースとすることができる。
【００１６】
特殊チャンネル情報通知部１２０は、特殊チャンネル情報取得部１１０によって取得され図示しない記憶装置に記憶された特殊チャンネル情報から、受信可能な放送番組を特定し（Ｓ１０２）、この放送番組が出力装置１０２により視聴可能であることをユーザーに対して通知する（Ｓ１０３）。ここで、特殊チャンネル情報通知部１２０が特殊チャンネル情報から特定される放送番組が視聴可能であることをユーザーに対して通知する手段に出力装置１０２を用いてもよい。例えば、出力装置１０２における図示しない音声出力装置を利用した音声による通知や、図示しない表示装置を利用して表示画面による通知や、図示しない振動モータを利用したバイブレーションによる通知や、図示しないＬＥＤなどの発光装置を利用した点灯パターンによる通知や、これらの手段を併用した通知によるユーザーに対する通知手段としてもよい。
【００１７】
このように、携帯端末装置１０が特殊チャンネル情報を取得してこの特殊チャンネル情報から特定される放送番組が視聴可能であることをユーザーに対して通知することによって、ユーザーはこの放送番組の存在を特別な媒体による告知に接することなく、携帯端末装置１０が特殊チャンネル情報を取得した際に認知することができる。
【００１８】
［第２の実施の形態］
図３は、本発明における第２の実施の形態にかかる携帯端末装置の構成を示すブロック図である。
本実施の形態にかかる携帯通信端末装置は、特殊チャンネル情報を取得して、この特殊チャンネル情報から特定される放送番組が自装置において視聴可能であることをユーザーに対して通知するとともに、この特殊チャンネル情報に基づいて放送番組を自装置に搭載される受信装置に受信させて出力装置で視聴可能とする。図３に示すように、携帯端末装置２０は、放送番組を受信する受信装置１０１と、放送番組を視聴できる出力装置１０２と、特殊チャンネル情報を取得する特殊チャンネル情報取得部１１０と、特殊チャンネル情報から特定される放送番組が視聴可能であることを通知する特殊チャンネル情報通知部１２０と、特殊チャンネル情報から特定される放送番組を受信装置１０１に受信させて出力装置１０２に出力可能とする特殊チャンネル視聴制御部２３０とから構成されている。
なお、これらの構成要素は、ＣＰＵ（中央演算装置）やメモリ、インターフェースを備えたコンピュータに、コンピュータプログラムをインストールすることにより、上記の携帯端末装置２０に搭載されたコンピュータ（図示せず）のハードウェア資源とソフトウェアとが協働して実現されるものである。
また、本実施の形態における携帯端末装置２０の受信装置１０１、出力装置１０２、特殊チャンネル情報取得部１１０、特殊チャンネル情報通知部１２０は、第１の実施の形態において説明した携帯端末装置１０の受信装置１０１、出力装置１０２、特殊チャンネル情報取得部１１０、特殊チャンネル情報通知部１２０と同一の構成および機能を有するため、ここでは同一の符号を用い、その説明は省略する。
【００１９】
次に特殊チャンネル視聴制御部２３０の動作を中心に説明しながら、本実施の形態にかかる携帯端末装置２０の動作について、図４に示すフローチャートを参照して説明する。
【００２０】
特殊チャンネル視聴制御部２３０は、特殊チャンネル情報取得部１１０によって特殊チャンネル情報を取得され（Ｓ１０１）、その特殊チャンネル情報から受信可能な放送番組が特定されると（Ｓ１０２）、視聴可能な放送番組があることを通知する（Ｓ１０３）とともに、その放送番組を受信装置１０１に受信させて（Ｓ２０１）、出力装置１０２に出力し、この放送番組を視聴可能とする（Ｓ２０２）。
このように、携帯端末装置２０が特殊チャンネル情報から特定される放送番組を自動的に受信装置１０１に受信させることにより、ユーザーはこの放送番組の受信チャンネルを手動で探す必要がなくなり、簡便な操作でこの放送番組を視聴することが可能となる。
【００２１】
［第３の実施の形態］
図５は、本発明における第３の実施の形態にかかる携帯端末装置の概要を示すブロック図である。
本実施の形態にかかる携帯端末装置は、特殊チャンネル情報を取得して、この特殊チャンネル情報から特定される複数の放送番組が自装置において視聴可能であることをユーザーに対して通知し、ユーザーによって選択された放送番組を視聴可能とすることができる。
図５に示すように、携帯端末装置３０は、放送番組を受信する受信装置１０１と、放送番組を視聴できる出力装置１０２と、特殊チャンネル情報を取得する特殊チャンネル情報取得部１１０と、特殊チャンネル情報から特定される放送番組を視聴するか否かを通知して選択し、且つ視聴可能な全ての放送番組の一覧を選択可能に通知する特殊チャンネル情報通知部３２０と、視聴する放送番組を選択して受信装置１０１に選択した放送番組を受信させ出力装置１０２にこの放送番組を出力して選択した放送番組を視聴可能とする特殊チャンネル視聴制御部３３０とから構成されている。
【００２２】
特殊チャンネル視聴制御部３３０は、特殊チャンネル情報通知部３２０により選択可能に通知された特殊チャンネル情報から特定される全ての放送番組の中からユーザーが選択した放送番組を視聴番組として選択する特殊チャンネル視聴選択部３３１と、受信装置１０１の受信チャンネルを特殊チャンネル視聴選択部３３１により視聴番組として選択された放送番組のチャンネルに設定する特殊チャンネル受信設定部３３２と、特殊チャンネル受信設定部３３２により設定された受信チャンネルにおいて受信装置１０１が受信した放送番組を出力装置１０２に出力させて視聴可能とする特殊チャンネル視聴開始部３３３とから構成されている。
【００２３】
なお、これらの構成要素は、ＣＰＵ（中央演算装置）やメモリ、インターフェースを備えたコンピュータに、コンピュータプログラムをインストールすることにより、上記の携帯端末装置３０に搭載されたコンピュータ（図示せず）のハードウェア資源とソフトウェアとが協働して実現されるものである。
また、本実施の形態における携帯端末装置３０の受信装置１０１、出力装置１０２、特殊チャンネル取得部１１０は、第１の実施の形態において説明した携帯端末装置１０の受信装置１０１、出力装置１０２、特殊チャンネル情報取得部１１０と同一の構成及び機能を有するため、ここでは同一の符号を用い、その説明は省略する。
【００２４】
次に、特殊チャンネル情報通知部３２０と特殊チャンネル視聴制御部３３０の動作を説明しながら、本実施の形態にかかる携帯端末装置３０の動作について、図６に示すフローチャートを参照して説明する。
【００２５】
特殊チャンネル情報通知部３２０は、特殊チャンネル情報取得部１１０によって取得され図示しない記憶部に記憶された特殊チャンネル情報から放送番組を特定し（Ｓ３０１）、この放送番組を視聴するか否かをユーザーが選択できるように通知する（Ｓ３０２）。ここで、特殊チャンネル情報通知部３２０が放送番組の視聴可否をユーザーに選択させる通知画面の一例を図７に模式的に示す。図７に示すように、特殊チャンネル情報通知部３２０は、出力装置１０２の表示装置１０２−ａを利用して、特殊チャンネル情報から特定される放送番組が視聴可能であることを通知し、且つこの放送番組を視聴するか否かを選択可能に表示してユーザーに対して通知する。このときに、１の表示内容で明示的にユーザーに対して特殊チャンネル情報から特定される放送番組が視聴可能であることを通知するアイコンのような表示としても良い。また、出力装置１０２の図示しない音声出力装置を利用して音声によってユーザーに対して通知を行ってもよい。
【００２６】
放送番組の視聴可否を選択できる通知に対するユーザーによる応答操作は、図示しない携帯端末装置３０の操作部をユーザーが操作することによってなされる（Ｓ３０２ａ）。特殊チャンネル情報通知部３２０は、このユーザーの応答操作による操作部から発せられる信号に基づいてユーザーが放送番組を視聴するのか否かの選択の判定を行う（Ｓ３０３）。
ユーザーが放送番組を視聴することを選択したと判定した場合（Ｓ３０３において「YES」）、特殊チャンネル情報通知部３２０は、特殊チャンネル情報より特定される視聴可能な放送番組の一覧を選択可能に通知する（Ｓ３０４）。また、ユーザーが放送番組を視聴しないことを選択したと判定した場合（Ｓ３０３において「NO」）、特殊チャンネル情報通知部３２０は放送番組の視聴処理を終了する（Ｓ３０５）。
【００２７】
視聴可能な放送番組の一覧から視聴する放送番組を選択できる通知に対するユーザーによる応答操作は、図示しない携帯端末装置３０の操作部をユーザーが操作することによってなされる（Ｓ３０４ａ）。ここで、特殊チャンネル情報通知部３２０が視聴可能な放送番組を選択可能な一覧からユーザーに選択させる通知画面の一例を図８に模式的に示す。図８に示すように、特殊チャンネル情報通知部３２０は、出力装置１０２の表示装置１０２−ａを利用して、特殊チャンネル情報から特定される視聴可能な全ての放送番組を表示してユーザーに対して通知する。また、出力装置１０２の図示しない音声出力装置を利用して音声による通知を行ってもよい。
【００２８】
特殊チャンネル視聴選択部３３１は、ユーザーが視聴可能な放送番組の一覧から視聴する放送番組を選択する応答操作によって操作部から発せられる信号に基づいて特定される放送番組を視聴番組として選択する（Ｓ３０６）。
特殊チャンネル受信設定部３３２は、特殊チャンネル視聴選択部３３１によって視聴番組として選択された放送番組について、特殊チャンネル情報から特定されるこの放送番組のチャンネルに受信装置１０１の受信チャンネルを設定する（Ｓ３０７）。
特殊チャンネル視聴開始部３３３は、携帯端末装置３０の放送番組の視聴機能を起動して、特殊チャンネル受信設定部３３２によって設定した受信チャンネルにおいて受信装置１０１が受信した放送番組を出力装置１０２に対して出力させて（Ｓ３０８）、放送番組視聴処理を終了する（Ｓ３０９）。
【００２９】
このように、携帯端末装置３０が特殊チャンネル情報から特定される放送番組が視聴可能であることをユーザーに対して選択可能に通知し、ユーザーが選択した放送番組を受信装置１０１で受信し出力装置１０２に出力することにより、ユーザーは視聴可能な放送番組の存在を認知でき、さらにこの放送番組を視聴するか否かを選択できることによって、所望の放送番組のみを簡便な操作で視聴することが可能となる。また、視聴可能な放送番組が複数ある場合についても、所望の放送番組を選択することができ、受信チャンネルを探す必要なく簡便な操作で視聴することが可能となる。
【００３０】
［第４の実施の形態］
次に、本発明の第４の実施の形態について説明する。
図９は、本実施の形態にかかる携帯端末装置と特殊チャンネル情報発信装置とからなる放送番組視聴制御システムの構成を示すブロック図である。
本実施の形態にかかる放送番組視聴制御システムは、特殊チャンネル情報発信装置から発信される特殊チャンネル情報を携帯端末装置ににおける所定の条件に基づいて自動的に受信させ、ユーザーに対して特殊チャンネル情報から特定される放送番組が視聴可能なことを通知させ、この放送番組を視聴可能にするものであり、図９に示すように、特殊チャンネル情報発信装置１１と、携帯端末装置４０とから構成されている。
【００３１】
携帯端末装置４０は、放送番組を受信する受信装置１０１と、放送番組を視聴できる出力装置１０２と、特殊チャンネル情報発信装置１１から発信される特殊チャンネル情報を取得する特殊チャンネル情報取得部４１０と、特殊チャンネル情報から特定される放送番組が視聴可能であることを通知して選択し、かつ視聴可能な全ての放送番組の一覧を選択可能に通知する特殊チャンネル情報通知部３２０と、視聴する放送番組を選択して受信器１０１に選択した放送番組を受信させ出力装置１０２にこの放送番組を出力させる特殊チャンネル視聴制御部３３０とから構成されている。
特殊チャンネル情報取得部４１０は、特殊チャンネル情報発信装置１１との通信を行い予め設定した所定の条件、例えば、ユーザーによって予め特殊チャンネル情報の受信を可能とするか否かを携帯端末装置４０の図示しない記憶部に設定された受信条件に基づいて特殊チャンネル情報を受信する特殊チャンネル情報受信部４１１を備えている。
【００３２】
なお、これらの構成要素は、ＣＰＵ（中央演算装置）やメモリ、インターフェースを備えたコンピュータに、コンピュータプログラムをインストールすることにより、上記の特殊チャンネル情報発信装置１１および携帯端末装置４０に搭載されたコンピュータ（図示せず）のハードウェア資源とソフトウェアとが協働して実現されるものである。
また、本実施の形態における携帯端末装置４０の受信装置１０１、出力装置１０２、特殊チャンネル情報通知部３２０、特殊チャンネル視聴制御部３３０は、第３の実施の形態において説明した携帯端末装置３０の受信装置１０１、出力装置１０２、特殊チャンネル情報通知部３２０、特殊チャンネル視聴制御部３３０と同一の構成及び機能を有するため、ここでは同一の符号を用い、その説明は省略する。
【００３３】
次に、特殊チャンネル情報発信装置１１の動作を図１０に示すフローチャートを参照して説明する。
特殊チャンネル情報発信装置１１は、特定の地域において視聴可能な放送番組のチャンネルに関する情報であるチャンネル情報の受信要求信号を、この放送番組が視聴可能な地域内に向けて発信する（Ｓ４１１）。
特殊チャンネル情報発信装置１１は特殊チャンネル情報の受信要求信号を発信した後、携帯端末装置４０からの特殊チャンネル情報の送信要求信号の受信待機状態となる（Ｓ４１２）。携帯端末装置４０からの送信要求信号を受信した場合（Ｓ４１２において「YES」）、特殊チャンネル情報発信装置１１は携帯端末装置４０に対して特殊チャンネル情報を送信する（Ｓ４１３）。送信要求信号を受信しない場合（Ｓ４１２において「NO」）は引き続き送信要求信号の待機状態となる。
ここで、特定の地域における視聴可能な放送番組の例として、ショッピングモールや商店街などにおけるフロア情報や店舗情報といったローカル情報番組の放送が考えられる。特殊チャンネル情報発信装置１１は、ショッピングモールの各フロア入口や商店街の入り口などに設置されることによって、ショッピングモールや商店街の来場者が携帯している携帯端末装置４０に対して特殊チャンネル情報を発信するようにしても良い。
【００３４】
次に、特殊チャンネル情報取得部４１０の動作を中心に説明して、携帯端末装置４０の動作について図１１のフローチャートを参照して説明する。
特殊チャンネル情報取得部４１０の特殊チャンネル情報受信部４１１は、特殊チャンネル情報発信装置１１から送信される特殊チャンネル情報の受信要求信号を受信すると（Ｓ４２１）、所定の条件として予め設定された特殊チャンネル情報の受信設定（Ｓ４２２ａ）に基づいて特殊チャンネル情報を受信するか否かを判定する（Ｓ４２２）。
ここでこの受信設定は、例えば、時間帯、携帯端末装置の現在位置、ユーザーの明示的な携帯端末装置４０に対する操作などによって特殊チャンネル情報を受信するか否かを設定する受信設定とすることができる。
Ｓ４２２ａにおける受信設定が特殊チャンネル情報を受信する場合（Ｓ４２２において「YES」）、特殊チャンネル情報受信部４１１は特殊チャンネル情報発信装置１１に対して特殊チャンネル情報の送信要求を送信し（Ｓ４２３）、特殊チャンネル情報を受信する（Ｓ４２５）。Ｓ４２２ａにおける受信設定が特殊チャンネル情報を受信しない場合（Ｓ４２２において「NO」）、特殊チャンネル情報受信部４１１は特殊チャンネル情報の受信処理を終了する（Ｓ４２４）。
【００３５】
特殊チャンネル情報取得部４１０は、特殊チャンネル情報受信部４１１によって受信した特殊チャンネル情報を図示しない記憶部に記憶することにより特殊チャンネル情報を取得する（Ｓ４２６）。
携帯端末装置４０は、特殊チャンネル情報取得部４１０によって取得した特殊チャンネル情報から放送番組と特定し、この放送番組が視聴可能であることをユーザーに通知し、ユーザーによって選択された放送番組を受信装置１０１に受信させて出力装置１０２に出力してこの放送番組を視聴可能とする（Ｓ４２７）。
【００３６】
ここで、携帯端末装置４０が能動的に特殊チャンネル情報を取得する手段として、特殊チャンネル情報発信装置１１と特殊チャンネル情報取得部４１０とが通信する通信手段にＢｌｕｅｔｏｏｔｈ（登録商法）による無線通信を使用することとしてもよい。Ｂｌｕｅｔｏｏｔｈによるデータの送受信によって特殊チャンネル情報発信装置１１と特殊チャンネル情報取得部４１０とが特殊チャンネル情報の送受信を実現することにより、携帯端末装置４０においてユーザーによる特別な操作を必要としないで特殊チャンネル情報を所定の条件に基づいて自動的に取得することができる。
このように、携帯端末装置が特殊チャンネル情報を所定の条件に基づいて自動的に取得可能となることによって、携帯端末装置は特殊チャンネル情報を取得したら直ちにユーザーに対して放送番組が視聴可能であることを通知することができる。したがって、本実施の形態における携帯端末装置のユーザーは特殊チャンネル情報から特定される放送番組をいつでもどこでも簡単に視聴可能となる。
【００３７】
［第５の実施の形態］
次に、本発明の第５の実施の形態について説明する。
図１２は、本実施の形態にかかる携帯端末装置の構成を示すブロック図である。
本実施の形態にかかる携帯端末装置は、特殊チャンネル情報を能動的に受信して、ユーザーに対して特殊チャンネル情報から特定される放送番組が視聴可能なことを通知し、この放送番組を視聴可能とするものであって、特に特殊チャンネル情報が、放送番組の放送波周波数情報とこの放送番組の内容を表す情報を含む番組内容情報とが放送番組ごとに関連付けられているデータであり、この特殊チャンネル情報に基づいた放送番組の視聴可能通知を実施し、この放送番組を視聴可能とするものである。
図１２に示すように、本実施の形態にかかる携帯端末装置５０は、放送番組を受信する受信装置１０１と、放送番組を視聴できる出力装置１０２と、特殊チャンネル情報を取得する特殊チャンネル情報取得部４１０と、特殊チャンネル情報から特定される全ての放送番組が自装置において視聴可能であることとこれらの放送番組の内容を示す番組内容情報とを併せて表した一覧から視聴する放送番組を選択できる選択一覧を出力装置１０２に出力して通知する特殊チャンネル情報通知部５２０と、視聴する放送番組を選択して受信器１０１に選択した放送番組を受信させ出力装置１０２にこの放送番組を出力させる特殊チャンネル視聴制御部５３０とから構成されている。
【００３８】
特殊チャンネル視聴制御部５３０は、特殊チャンネル情報通知部５２０により選択可能に通知された特殊チャンネル情報から特定される全ての放送番組の中からユーザーが選択した放送番組を視聴番組として選択する特殊チャンネル視聴選択部５３１と、受信装置１０１の受信チャンネルを特殊チャンネル視聴選択部５３１により視聴番組として選択された放送番組のチャンネルに合致させる特殊チャンネル受信設定部５３２と、特殊チャンネル受信設定部３３２により設定された受信チャンネルにおいて受信装置１０１が受信した放送番組を出力装置１０２に出力させて視聴可能とする特殊チャンネル視聴開始部５３３とから構成されている。
【００３９】
なお、これらの構成要素は、ＣＰＵ（中央演算装置）やメモリ、インターフェースを備えたコンピュータに、コンピュータプログラムをインストールすることにより、上記の携帯端末装置５０に搭載されたコンピュータ（図示せず）のハードウェア資源とソフトウェアとが協働して実現されるものである。
また、本実施の形態における携帯端末装置５０の受信装置１０１、出力装置１０２、特殊チャンネル情報取得部４１０、特殊チャンネル情報受信部４１１は、第４の実施の形態において説明した携帯端末装置４０の受信装置１０１、出力装置１０２、特殊チャンネル情報取得部４１０、特殊チャンネル情報受信部４１１と同一の構成及び機能を有するため、ここでは同一の符号を用い、その説明は省略する。
【００４０】
次に、図１３および図１４を参照して特殊チャンネル情報通知部５２０と特殊チャンネル視聴制御部５３０の動作を中心に説明しながら、本実施の形態にかかる携帯端末装置５０の動作を説明する。
【００４１】
特殊チャンネル情報通知部５２０は、特殊チャンネル情報取得部４１０によって取得した特殊チャンネル情報から特定される全ての放送番組について、自装置において視聴可能であることとこれらの放送番組の内容を示す番組内容情報とを併せて表した一覧からユーザーが視聴する放送番組を選択できる選択一覧を出力装置１０２に出力する。
ここで、図１３は本実施の形態における特殊チャンネル情報の一例を示す概念図である。図１３に示すように、特殊チャンネル情報は、受信チャンネルの周波数情報とこの放送番組の内容を表す情報を含む番組内容情報とが放送番組ごとに関連付けて記述されているデータであり、特殊チャンネル情報通知部５２０はこの特殊チャンネル情報のデータに基づいて放送番組の選択一覧を出力装置１０２に出力する。
ここで、図１４は特殊チャンネル情報通知部５２０が出力装置１０２に出力する放送番組の選択一覧の一例を示す模式図である。図１４に示すように、特殊チャンネル情報通知部５２０は、出力装置１０２の表示装置１０２−ａを利用して、特殊チャンネル情報に基づいて放送番組のチャンネル情報をチャンネルごとに表示して、ユーザーが放送番組を視聴するか否かを選択でき、且つ視聴する番組を選択できるようにする。
【００４２】
特殊チャンネル視聴選択部５３１は、特殊チャンネル情報通知５２０によって出力装置１０２に出力した放送番組の選択一覧から、ユーザーによって選択された視聴する放送番組を視聴番組として選択し、特殊チャンネル受信設定部３３２は、受信装置１０１の受信チャンネルを特殊チャンネル視聴選択部５３１によって視聴番組として選択された放送番組のチャンネルに合致させ、特殊チャンネル視聴開始部５３３は、携帯端末装置５０の放送番組の視聴機能を起動して特殊チャンネル受信設定部５３２によって設定した受信チャンネルにおいて受信装置１０１が受信した放送番組を出力装置１０２に対して出力する。
【００４３】
このように、放送番組の内容情報を含む番組内容情報と併せて視聴可能な放送番組の通知を行うことによって、放送番組における情報をわかりやすく通知することが可能となり、ユーザーが所望の放送番組を簡便に選択することが可能となる。
【産業上の利用可能性】
【００４４】
ショッピングモールや商店街などにおけるフロア情報や店舗情報、もしくはアミューズメントパークやテーマパークなどにおけるアトラクションやショップの案内情報、もしくは病院や役所などにおける窓口案内や待ち時間の情報など、大勢の人が集まる場所において都度更新される情報や利用者に対して有益な情報を地上デジタル放送の放送番組によって発信し携帯端末装置で受信するローカル情報放送システムといったことに利用できる。
【符号の説明】
【００４５】
１０，２０，３０，４０，５０…携帯端末装置、１０１…受信装置、１０２…出力装置、１１０，４１０…特殊チャンネル情報取得部、４１１…特殊チャンネル情報受信部、１２０，３２０，５２０…特殊チャンネル情報通知部、２３０，３３０，５３０…特殊チャンネル視聴制御部、３３１，５３１…特殊チャンネル選択部、３３２，５３２…特殊チャンネル受信設定部、３３３，５３３…特殊チャンネル視聴開始部、１０２−ａ…表示装置。
【図１】
2010178023.tif 000003
【図２】
2010178023.tif 000004
【図３】
2010178023.tif 000005
【図４】
2010178023.tif 000006
【図５】
2010178023.tif 000007
【図６】
2010178023.tif 000008
【図７】
2010178023.tif 000009
【図８】
2010178023.tif 000010
【図９】
2010178023.tif 000011
【図１０】
2010178023.tif 000012
【図１１】
2010178023.tif 000013
【図１２】
2010178023.tif 000014
【図１３】
2010178023.tif 000015
【図１４】
2010178023.tif 000016